(57)【要約】【課題】プルタブの指引掛け部に容易に指を引掛けて飲み口を形成することができるプルトップ式缶を提供すること。【解決手段】蓋部材２に不連続な略ループ状の切込み３によって形成された被押圧部４と、支点となるピン５によって前記蓋部材２に固定されるプルタブ６とからなり、該プルタブ６が引き起こされて前記被押圧部４が押し抜かれることにより開栓されるプルトップ式缶１において、前記プルタブ６に、内周側から指を差し込むための指挿通孔８とプルタブ６を引き起こすための指引掛け部７とが形成され、該指引掛け部７の下方において前記蓋部材２に凹み部９が設けられたことを特徴とするプルトップ式缶１。【選択図】      図２
2004210318.tif 000002
【特許請求の範囲】
【請求項１】
蓋部材に不連続な略ループ状の切込みによって形成された被押圧部と、支点となるピンによって前記蓋部材に固定されるプルタブとからなり、該プルタブが引き起こされて前記被押圧部が押し抜かれることにより開栓されるプルトップ式缶において、
前記プルタブに、内周側から指を差し込むための指挿通孔とプルタブを引き起こすための指引掛け部とが形成され、該指引掛け部の下方において前記蓋部材に凹み部が形成されたことを特徴とするプルトップ式缶。
【請求項２】
前記凹み部は前記ピンから前記指引掛部へ向かって下方へ傾斜したガイド部を有することを特徴とする請求項１記載のプルトップ式缶。
【発明の詳細な説明】
【０００１】
【発明の属する技術分野】
本発明は、缶の蓋部材に固定されたプルタブによって飲み口が形成されるプルトップ式缶に関するものである。
【０００２】
【従来の技術】
従来より、ジュースやビール等の飲料が封入された缶には、いわゆるプルトップ式缶が普及している。図６は、従来のプルトップ式缶の一例を示すものであるが、このプルトップ式缶２３は、不連続な略ループ状の切込み２４により被押圧部２５が形成された蓋部材２１と、該蓋部材２１に支点ピン２８によって固定されるプルタブ２２とを備えている。
【０００３】
このプルトップ式缶２３は、指引掛部２７が上方へ引き起こされることにより、プルタブ２２の押圧部２６が蓋部材２１の被押圧部２５を押圧し、これにより切込み２４が破断して、被押圧部２５が蓋部材２１の下方に押し下げられて切込み２４に沿って飲み口が形成される。押し下げられた被押圧部２５は、切込み２４が破断された後も蓋部材２１に連結されたままであるため、離脱して缶内部に落下することはない。また、プルタブ２２も、支点ピン２８によって蓋部材２１に固定されているため、飲み口が形成された後も蓋部材２１から離脱することはない。したがって、このプルトップ式缶２３は缶切り等の他の道具を使用することなく予め蓋部材２１に固定されているプルタブ２２によって蓋部材２１に飲み口を形成することができると共に、プルタブ２２及び被押圧部２５が単独で捨てられることがないという利点を備えているため、現在では広く一般に利用されている。
【０００４】
しかし、このプルトップ式缶２３は、上記のような利点を備えているものの、プルタブ２２が蓋部材２１に密接して取付けられているため、特に指先の力のない人にとってはこのプルトップ式の缶２３の開栓は容易ではなかった。
【０００５】
これに対し、図７に示すように、被押圧部２５を押圧するプルタブ２９の押圧部３０が支点ピン２８から切込み２４方向に向けて蓋部材２１から離れるように形成されたイージーオープン缶蓋３１がある（例えば、特許文献１参照。）。このイージーオープン缶蓋３１は、押圧部３０が被押圧部２５に当接していないため、プルタブ２９の指引掛け部２７を引き起こす際に、押圧部３０は被押圧部２５に当接するまで該被押圧部２５を押圧しないため、押圧部３０が被押圧部２５に当接するまでは比較的弱い力でプルタブ２９を引き起こすことができる。
【０００６】
【特許文献１】
特開平５−３２２５５号公報（第８−９頁、第２図）
【０００７】
【発明が解決しようとする課題】
しかしながら、このイージーオープン缶蓋３１は、一旦指引掛け部２７に指を引掛けることができればプルタブ２９を比較的容易に引き起こすことができるが、従来のプルトップ式缶２３と同様に指引掛け部２７と蓋部材２１との隙間が小さいために指引掛け部２７に指を掛けにくいという問題点がある。
【０００８】
本発明は、上記課題に鑑みてなされたものであって、プルタブの指引掛け部に容易に指を引掛けて飲み口を形成することができるプルトップ式缶を提供することを目的とする。
【０００９】
【課題を解決するための手段】
上記目的を達成するために、請求項１記載のプルトップ式缶は、蓋部材に不連続な略ループ状の切込みによって形成された被押圧部と、支点となるピンによって前記蓋部材に固定されるプルタブとからなり、該プルタブが引き起こされて前記被押圧部が押し抜かれることにより開栓されるプルトップ式缶において、前記プルタブに、内周側から指を差し込むための指挿通孔とプルタブを引き起こすための指引掛け部とが形成され、該指引掛け部の下方において前記蓋部材に凹み部が形成されたことを特徴としている。
【００１０】
請求項２記載のプルトップ式缶は、請求項１記載のプルトップ式缶において、前記凹み部は前記ピンから前記指引掛部へ向かって下方へ傾斜したガイド部を有することを特徴としている。
【００１１】
【発明の実施の形態】
以下、本発明の実施形態に係るプルトップ式缶について図面に基づいて説明する。図１は、本発明の実施の形態に係るプルトップ式缶１の平面図であり、図２は図１に示すプルトップ式缶１のＸ−Ｘ線断面図である。このプルトップ式缶１は、蓋部材２に不連続な略ループ状の切込み３によって形成された被押圧部４と、支点となるピン５によって前記蓋部材２に固定されるプルタブ６とからなり、該プルタブ６が引き起こされて前記被押圧部４が押し抜かれることにより開栓されるプルトップ式缶１であり、前記プルタブ６に、内周側から指を差し込むための指挿通孔８とプルタブ６を引き起こすための指引掛け部７とが形成され、該指引掛け部７の下方において前記蓋部材２に凹み部９が形成されている。
【００１２】
前記蓋部材２は、プルトップ式缶１の上部を覆うように形成された略円盤状の平板部材であり、その上面には中央付近から略ループ状の切込み３が刻設されている。また、その切込み３によって囲まれた被押圧部４は、蓋部材２の中央部付近にピン５によって固定されたプルタブ６の指引掛け部７が上方へ引き起こされることにより押圧部１０によって下方へと押圧され、これにより切込み３が破断して蓋部材２の下面側へ曲折される。また、その際、被押圧部４は、その周囲に刻設された前記切込み３が図示するように蓋部材２の中央部付近で不連続になっているため、前記押圧部１１によって押圧されて蓋部材２の下面側へ曲折された後も蓋部材２から離脱することはない。
【００１３】
前記プルタブ６は、指を引掛けるための指引掛け部７と、上方から指を差し込むためにプルタブ６の内周側に設けられた指挿通孔８と、前記蓋部材２の被押圧部４を押圧するための押圧部１０とを備えており、支点となるピン５によって蓋部材２の上面中央部付近に固定されている。前記指挿通孔８は、図示するようにプルタブ６の上方から人差し指を差し込んで指引掛け部７にその指を引掛けられる程度の大きさに形成されている。なお、平均的な成人男性の人差し指の大きさよりも約２割程度大きく形成されると好適である。また、その指挿通孔８の形状は、指挿通孔８から差し込んだ指を指引掛け部７に容易に引掛けられる形状であれば種々の形状に形成することが可能であり、例えば図３の（ａ）乃至（ｃ）に示すような略円形状、略矩形状、略三角形状が考えられるが、指の形状を考えると指引掛け部７に向けて拡幅するような形状に形成された（ｃ）のような形状がが好適である。
【００１４】
前記凹み部９は、図１及び図２に示すように、前記指引掛け部７の下方に位置する蓋部材２が下方に凹むように形成されたものであり、前記指挿通孔８から差し込んだ指を前記プルタブ６の指引掛け部７と蓋部材２の間に容易に入れることができるような深さ及び形状に形成されたものである。更に、前記凹み部９には図４及び図５に示すようにピン５から指引掛け部７へ向かって下方へ傾斜したガイド部１１を設けるとよく、この場合、指挿通孔８から差し込まれた指はこのガイド部１１によって指引掛け部７の下方へと案内されるようになっており、より指引掛け部７に指を引掛けやすいように構成されている。
【００１５】
以下、前記プルトップ式缶１の開栓方法について説明する。まず、プルトップ式缶１をプルタブ６の指引掛け部７が手前にくるように置き、一方の手でプルトップ式缶１を固定すると共に指挿通孔８から他方の手の人差し指を差し込んで指引掛け部７に指を引掛ける。そして、この指引掛け部７を上方へと引き起こす。その際、指引掛け部７に人差し指と共に親指を添えて引き起こすとプルタブ６をより容易に引き起こすことができる。これにより、ピン５により蓋部材２の上面に固定されているプルタブ６の押圧部１０は、被押圧部４を押圧して切込み３を破断すると共に被押圧部４を蓋部材２の下方へと曲折して、蓋部材２の切込み３に沿って飲み口を形成する。
【００１６】
以上説明したように、プルタブ６には、内周側から指を差し込むための指挿通孔８とプルタブ６を引き起こすための指引掛け部７とが形成され、該指引掛け部７の下方において前記蓋部材２に凹み部９が形成されている。従って、指挿通孔８を通して指引掛け部７に容易に指を引掛けることができるため、プルトップ式缶１の開栓作業を容易に行うことができる。なお、このプルトップ式缶１は、プルタブ６の内周側からではなく、従来のプルトップ式缶２３及びイージーオープン缶蓋３１と同様にプルタブ６と蓋部材２の間に指を差し込んでプルタブ６を引き起こすことも当然可能である。
【００１７】
【発明の効果】
請求項１記載のプルトップ式缶によれば、プルタブに、内周側から指を差し込むための指挿通孔とプルタブを引き起こすための指引掛け部とが形成され、該指引掛け部の下方において前記蓋部材に凹み部が形成されているため、プルタブの指引掛け部に容易に指を引掛けることができ、結果としてプルタブの引き起こし動作を容易に行うことができる。
【００１８】
請求項２記載のプルトップ式缶によれば、凹み部にピンから指引掛け部に向かって下方へ傾斜したガイド部が設けられているため、指挿通孔から入れた指が指引掛け部の下方へと案内されて、指を指引掛け部により引掛けやすくなるという利点がある。
【図面の簡単な説明】
【図１】本発明の実施の形態に係るプルトップ式缶を説明するための平面図である。
【図２】図１に示したプルトップ式缶のＸ−Ｘ線断面図である。
【図３】指挿通孔の形状が異なるプルタブの平面図である。
【図４】プルトップ式缶の平面図である。
【図５】図４に示したプルトップ式缶のＹ−Ｙ線断面図である。
【図６】従来のプルトップ式缶を説明するための平面図である。
【図７】従来のイージーオープン缶蓋を説明するための断面図である。
【符号の説明】
１  プルトップ式缶
２  蓋部材
３  切込み
４  被押圧部
５  ピン
６  プルタブ
７  指引掛け部
８  指挿通孔
９  凹み部
１０  押圧部
１１  ガイド部
【図１】
2004210318.tif 000003
【図２】
2004210318.tif 000004
【図３】
2004210318.tif 000005
【図４】
2004210318.tif 000006
【図５】
2004210318.tif 000007
【図６】
2004210318.tif 000008
【図７】
2004210318.tif 000009